(57)【特許請求の範囲】
【請求項１】
掘削して形成された法面に柳類の枝による粗朶を段状に設置し、該粗朶を含む該法面にラス金網を張設し、更に、該ラス金網をアンカーピンにて固定した後、該ラス金網の表面から該ラス金網の表面を覆うように客土材を吹付けて該法面に植生基盤層を形成したことを特徴とする法面緑化工法。
【請求項２】
上記客土材は連続長繊維が混入されて法面に吹付けられることを特徴とする請求項１記載の法面緑化工法。
【発明の詳細な説明】
【０００１】
【発明の属する技術分野】
この発明は掘削した法面の緑化工法に関するものであり、特に、ダム等の湛水池であって、水位変動域の法面緑化工法に関するものである。
【０００２】
【従来の技術及び発明が解決しようとする課題】
従来、ダム等の湛水池であって、水位変動域の法面に施工される緑化は法面の浸食、崩落の防止と景観保全の目的で該法面に直接に緑化基礎工及び植生工が施されている。
【０００３】
然るに、従来の工法による緑化基礎工は、波浪等の影響により浸食崩壊されることにより、植生が生育する以前に該緑化基盤が流出することがある。
そこで、ダム等の湛水池であって、水位変動域の法面に施工される緑化基盤が波浪等の影響により浸食、崩壊されることを可及的に防止し、法面緑化を効率良く促進させて景観保全が可能となるようにするために解決せらるべき技術的課題が生じてくるのであり、本発明は該課題を解決することを目的とする。
【０００４】
【課題を解決するための手段】
この発明は上記目的を達成するために提案せられたものであり、掘削して形成された法面に柳類の枝による粗朶を段状に設置し、該粗朶を含む該法面にラス金網を張設し、更に、該ラス金網をアンカーピンにて固定した後、該ラス金網の表面から該ラス金網の表面を覆うように、客土材又は連続長繊維混入客土材を吹付けて該法面に植生基盤層を形成した法面緑化工法を提供するものである。
【０００５】
【発明の実施の形態】
以下、本発明の一実施の形態を図１及び図２に従って詳述する。図に於て１はダムである。該ダム１は掘削して形成された法面２を有する。該ダム１に貯留される水の水位は、ハイレベルＨＬ及び中間レベルＭＬ、並びにローレベルＬＬの任意の水位に人為的に変動される。従って、前記法面２に設けられる緑化基盤は冠水状態におかれる場合と、非冠水状態におかれる場合とがある。
【０００６】
而して、該法面２には多数段に及んで柳類の枝による粗朶３，３…が設置される。該粗朶３，３…は多数本が横方向に重って束ねられ、そして、該法面２上に載設される。但し、該粗朶３，３…を該法面２上に設置する方法は種々想定される。例えば、該粗朶３，３…を該法面２に複数段に及んで挿木して設置してもよい。然るときは該粗朶３，３…の発芽生育並びに根張り作用が早期、且つ効率よく行われることが可能となる。
【０００７】
次に、法面２に設置された複数段の粗朶３，３…を含み、該法面２の表面にラス金網４が張設せられ、そして、該ラス金網４の表面からアンカーピン５，５…が該法面２の地中に打設されて該ラス金網４を該法面２に固定する。而して、該アンカーピン５，５…は前記粗朶３，３…の設置個所の上下両側部近傍に打設せられるを可とする。然るときは、該アンカーピン５，５…の打設によって該ラス金網４と共に該粗朶３，３…も該法面２に強固に固定することができる。
【０００８】
次に、該ラス金網４の表面から連続長繊維混入客土材を吹き付けて該法面２の表面に植生基盤層６を形成する。斯くして、該植生基盤層６は法面２の表面に段状に装着せられることになる。
【０００９】
而して、該連続長繊維混入客土材を該法面２上に装着するための作業は連続長繊維混入客土材の吹付け装置を用いて施工される。該吹付け装置は、クレーン付きのトラックの荷台に客土材の圧送装置及びタンクが搭載されており、更に、該クレーンのブームの先端部に連続長繊維混入のボビンを収納した噴射装置が備えられ、そして、該タンク内で客土材及び肥料配合の種子等を水を加えて攪拌混練し、スラリー状になった客土材並びに団粒剤を前記噴射装置へ圧送する。而して、該噴射装置には噴射ノズルが設けられ、圧送されてきた客土材と団粒剤とが混合されて噴射される。そして、ボビンの連続長繊維が該噴射ノズル内へ引き込まれ、客土材に混入されて法面２に装着されたラス金網４の表面に噴射されるように構成されている。斯くの如く構成された吹付け装置によって該法面２上のラス金網４へ連続長繊維混入客土材を吹付ける際には、クレーンのブームを伸縮して噴射装置を吹付け高さに合致させ、前記噴射ノズルを上下左右に揺動して適切な噴射角度にして該連続長繊維混入客土材を吹付ける。而して、吹付けられた客土材はラス金網４の内側にも入り込み、或いはその一部が前記粗朶３，３…間の間隙内にも入り込み、該連続長繊維が該客土材とラス金網４とに絡み合って混在し、更に、該ラス金網４の表面をも覆って極めて拘束力の大なる植生基盤層６が形成されるのである。
【００１０】
又、前記団粒剤としては、例えばポリアクリルアミドの高分子凝集剤が用いられる。該凝集剤は前記タンク内で水分を含有する客土材と共に攪拌混練され、そして、前記連続長繊維と共に前記ラス金網４上に噴射されて前記植生基盤層６を形成するのであるから、該植生基盤層６は極めて保水性が高く、且つ、空気を充分に保持しており保肥力も高い。従って、該植生基盤層６内に包含されている種子の発芽性が良好であり、早期に生育して緑化することが可能となる。
【００１１】
又、該植生基盤層６も前記粗朶３，３…により段状の隆起部があるので該段状隆起部の上部へ土砂が堆積し、この土砂堆積部７，７…に在来種の種子が飛来して発芽生育し緑化することも可能となる。又、柳類の枝による粗朶３，３…は耐冠水性に優れており、従って、柳類が発芽、生育して法面２の緑化及び保護が促進される。
【００１２】
而して、ダム１内に於て生じる波浪や流木等により前記植生基盤層６が浸食されようとしても、該植生基盤層６は団粒化された客土材が連続長繊維によって結縛され、更に、該法面２に強固に固定されたラス金網４に絡みついているので、前記波浪や流木等による浸食は可及的に阻止される。又、仮に、該波浪や流木等によって該植生基盤層６が浸食されるようなことがあっても、前記柳類の粗朶３，３…は該ラス金網４によって前記浸食が免れ、更に、前述したように柳類の優れた耐冠水性により柳類が発芽、生育して法面２を緑化し、且つ、該柳類の根張り作用によって該法面２を確実に保護することが可能となる。
【００１３】
尚、本発明の法面緑化工法は、湛水池等水位変動域法面のみならず、すべての法面緑化工法に施工できる。その他、本発明は、本発明の精神を逸脱しない限り種々の改変を為すことができ、そして、本発明が該改変されたものに及ぶことは当然である。
【００１４】
【発明の効果】
本発明は上記一実施の形態にて詳述したように、法面に柳類の粗朶を設置し、そして、該粗朶を含む法面にラス金網を張設して該粗朶を保護し、更に、アンカーピンにより該ラス金網を法面に固定し、該ラス金網の表面より客土材又は連続長繊維混入客土材を吹付けて植生基盤層を形成したので該客土材はラス金網内に入り込み、更に、該ラス金網と客土材とが絡み合って極めて拘束力が大なる植生基盤層が形成される。従って、ダム内に生じる波浪等によって該植生基盤層が浸食されることは可及的に阻止されることが可能となり、依って、該植生基盤層内に内包されている種子が発芽生育して該法面を早期に緑化させることが可能となる。又、該植生基盤層は段状に形成されているので、該段状の上方部へ土砂が堆積し、この堆積部位へ在来種の種子が飛来し、そして、発芽生育することによっても該法面の緑化が期待できる。
【００１５】
又、前記柳類の粗朶部分はダム内の波浪による浸食をうけることがないので、仮に前記植生基盤層が該波浪等によって浸食されても、該柳類の粗朶は該浸食を免れ、且つ、該柳類の優れた耐冠水性と相俟って該柳類の粗朶は発芽、生育して法面を緑化する。更に、前記植生基盤層から生育する木本及び草木類と柳類の粗朶による柳類が発芽、生育し、その根張り効果により法面保護を確実に実施できると共に、木本を含む緑化による景観保全が可能となる等、正に著大なる効果を奏する発明である。
【図面の簡単な説明】
【図１】本発明の一実施の形態を示し、ダム法面の解説断面図。
【図２】図２は要部の拡大断面図。
【符号の説明】
１        ダム
２        法面
３        粗朶
４        ラス金網
５        アンカーピン
６        植生基盤層
７        土砂堆積部
【図１】
0003786778.tif 000002
【図２】
0003786778.tif 000003